(57)【要約】【課題】タイルカーペットの交換時期と交換範囲を客観的に定めることのでき、外観は通常のタイルカーペット及びタイルカーペット床と変わらないタイルカーペット及びタイルカーペット床を開発する。その際にはできるだけ簡便で安価な交換時期の検知手段を用いる。【解決手段】耐汚染物質のコーティングを表面の一部に施した交換サイン付タイルカーペット及び交換サイン付タイルカーペットを床面の一部または全面に用いた交換サイン付タイルカーペット床及び耐汚染物質のコーティングを全面に施したタイルカーペットと通常のタイルカーペットを混合して用いた交換サイン付タイルカーペット床を提供する。【選択図】        図１
2007154378.tif 000002
【特許請求の範囲】
【請求項１】
タイルカーペットの表面の汚染を防止あるいは遅延させる耐汚染物質によるコーティングをタイルカーペットの表面の一部に施したことを特徴とする交換サイン付タイルカーペット。
【請求項２】
タイルカーペットの表面の汚染を防止あるいは遅延させる耐汚染物質によるコーティングをタイルカーペットの表面の一部に施した交換サイン付タイルカーペットを床面の一部または全面に用いて床面を覆設したことを特徴とする交換サイン付タイルカーペット床。
【請求項３】
タイルカーペットの表面の汚染を防止あるいは遅延させる耐汚染物質によるコーティングをタイルカーペットの表面の全面に施したタイルカーペットと上記耐汚染物質によるコーティングを施さないタイルカーペットの両方を用いて床面を覆設したことを特徴とする交換サイン付タイルカーペット床。
【請求項４】
上記耐汚染物質が光触媒あるいは防汚剤あるいは撥水剤であることを特徴とする請求項１に記載の交換サイン付タイルカーペット。
【請求項５】
上記耐汚染物質が光触媒あるいは防汚剤あるいは撥水剤であることを特徴とする請求項２あるいは請求項３に記載の交換サイン付タイルカーペット床。
【発明の詳細な説明】
【技術分野】
【０００１】
本発明は、交換サイン付タイルカーペット及び交換サイン付タイルカーペット床に関するものであり、さらに詳しくは、タイルカーペットの表面の汚染を防止あるいは遅延させる耐汚染物質によるコーティングをタイルカーペットの表面の一部に施したことを特徴とする交換サイン付タイルカーペット、及び、タイルカーペットの表面の汚染を防止あるいは遅延させる耐汚染物質によるコーティングをタイルカーペットの表面の一部に施した交換サイン付タイルカーペットを床面の一部または全面に用いて床面を覆設したことを特徴とする交換サイン付タイルカーペット床、及び、タイルカーペットの表面の汚染を防止あるいは遅延させる耐汚染物質によるコーティングをタイルカーペットの表面の全面に施したタイルカーペットと上記耐汚染物質によるコーティングを施さないタイルカーペットの両方を用いて床面を覆設したことを特徴とする交換サイン付タイルカーペット床に関するものである。
【背景技術】
【０００２】
従来、タイルカーペットと称される、１辺が数十ｃｍ程度の四角形状のカーペットを床面に敷きつめて床面を形成する施工方法はごく一般的に行われている。タイルカーペットは、通常、パイル生地等の表層の繊維部分を塩化ビニールや合成ゴム等からなる基層に熱溶着して形成され、１辺が数十ｃｍ程度の四角形状とされているので、これを隙間が開かないように床面に順次載置あるいは接着していくだけで床面が形成されるので、非常に簡便であり、施工に特殊な技術を要しないので、オフィスや店舗や家庭の床面内装に幅広く用いられている。
【０００３】
ごく一般的なタイルカーペットＴＣの外観は図１３ａに示すとおりのものである。また、その縦断面を図１３ｂに示す。図１３ａ、図１３ｂに見るとおり、タイルカーペットＴＣは、塩化ビニールや合成ゴム等からなる基層Ｂにパイル生地等の繊維Ｆからなる表層Ｓを熱溶着して形成されている。表層Ｓの繊維ＦＡの下端部は、通常、不織布等からなる基布ＢＦに植設されており、基布ＢＦの下方に位置する繊維ＦＡの最下端部が基布ＢＦとともに基層Ｂに熱溶着されることにより表層Ｓと基層Ｂが不可逆的に固着されて全体が構成されている。
【０００４】
このような構成のタイルカーペットの最大の特徴は、汚れのひどい部分のみを新品あるいはクリーニング済みの品と交換することにより、床全体の印象を常に清潔かつ美観をもって保持できるという点にある。すなわち、通常のカーペット類であれば、幅が凡そ９０ｃｍ〜数ｍのものを巻き状態で購入して、細部を床の形状に合わせて裁断しながら敷設するので、例えば飲料をこぼして一部のみが汚れてしまったという場合にても、その部分のみを交換するという訳にはいかなかった。したがって、敷設したままクリーニングするという方法で対応することになるが、汚れがひどい場合には染みとして残ってしまい、外観的にきわめて見苦しい状態となる。さらに、クリーニングに要する手間も大変なものである。
【０００５】
また、通常、部屋の床は全体が均一に汚染されていくものではなく、人が多く通る出入り口や机の周囲等にて汚れが先行して進む。特に、不特定多数の人が土足で出入りする店舗や施設等では、床全体の汚れの格差は大きなものとなる。しかるに、通常のカーペットでは汚れのひどい場所のみを交換するわけにいかないので、クリーニングか全面交換という手段しかなかったが、タイルカーペットを敷設したタイルカーペット床の場合は１辺が数十ｃｍ程度のユニットを連続的に敷設するという構成であるので、汚れの激しい部分のみを交換すれば良く、極めて簡便且つ経済的である。
【０００６】
なお、カーペット類の汚染防止対策としては、従来さまざまな技術が公開されているが、その一部を掲げれば、下記特許文献１〜３のとおりである。すなわち、下記特許文献１の「撥水性カーペットの製造方法」にては原糸そのものに撥水性を持たせる方法が開示されているが、これに対し、下記特許文献２の「防汚性ポリエステルフィラメントカーペットの製法」にては、繊維を基布に植設した段階で防汚加工する方法が開示されている。また、下記特許文献３の「染色性に差異のある繊維表面に耐汚性を与える方法およびそれによって作製される物品」にては、完成形態のカーペット類（タイルカーペットを含む）に防汚剤を塗布することにより、耐汚性を与える方法が開示されている。さらに、現在では、刷毛で塗布するだけで簡単に繊維表面にフッ素樹脂皮膜を形成でき、室温で乾燥できる撥水撥油処理剤も市販されているので、簡便に、かつ望む範囲にのみ撥水処理を施すことも可能となった。なお、下記特許文献４は、圧力と水分を検出してマットの交換時期を知らせるシステムの例である。
【特許文献１】特開平５‐３０２２５６号公報
【特許文献２】特開平６‐０２２８４０号公報
【特許文献３】特表２００３‐５０４５３１号公報
【特許文献４】特開２００３‐２９９６０９号公報
【発明の開示】
【発明が解決しようとする課題】
【０００７】
上記のように、カーペット類に撥水性や防汚性を持たせる方法は既に公知であり、実際に多用されている。しかしながら、このような方法で撥水性や防汚性を担持されたカーペット類は、どうしても通常品と比較して割高になるし、撥水性や防汚性も完璧ではなく、汚れがひどくなってくるとどうしてもクリーニングや交換の必要性が生じる。しかも、一旦クリーニングすると繊維表面のコーティング層も剥がれるので、撥水性や防汚性は格段に低下してしまうという問題点も生じる。さらに、コスト面からいえば、クリーニングや交換に要する人件費も無視できない。すなわち、カーペット類のクリーニングや交換には特殊な技術が必要なので、これに要する費用が無視できない出費となる。
【０００８】
しかるに、タイルカーペットの１枚当たり単価は極めて安価である。したがって、店舗や施設等の広い床面積を被覆する場合には、撥水性や防汚性を持たせたカーペット類を敷設してクリーニングや交換で美観を保つという方法よりも、撥水性や防汚性のない通常のタイルカーペットを敷設して、汚れのひどい部分だけを交換するという方法が、経費面からいえばはるかに安価に済むので、タイルカーペットを用いる店舗や施設、また一般家庭も増加しつつある。前述のように、タイルカーペットは床面に載置もしくは接着してあるだけなので、交換は極めて容易で、専門技術者ではなくても、施設の職員や店舗の従業員、あるいは家庭の主婦でも簡単に行える。
【０００９】
通常のカーペット類の交換となると、設備品や調度品、家具類を総て除去し、さらに大面積のカーペット類を正確に敷設し、柱や壁の形状に合わせて周辺部分を正確にカットしていかなくてはならないので、高度な専門的技術が要求される。しかるに、タイルカーペットの場合には、通常設備品や調度品、家具類の下になる部分は人が通らず、汚れないので交換の必要が生じない。したがって、設備品や調度品、家具類を配置したままで交換が行える。また、柱や壁に接する部分も人が通らないので交換の必要がない。したがって、交換の必要が生じるのは、剥離し易く敷設し易い場所のみであるので専門家を要せず、この面でも経費節減に多大な役割を有している。
【００１０】
このように、簡便で安価なタイルカーペットであるが、その交換時期を明確にするのは意外に難しいという問題点がある。例えば、飲料をこぼしたりしてある部分が極度に汚れたという場合であれば、明瞭にわかるので、すぐにその部分を交換すれば良いが、日常の使用により少しずつ汚れが蓄積してくる場合には、果たしてどの時点で、どの範囲のタイルカーペットを交換すべきかという判断が、なかなか難しい。
【００１１】
例えば、家庭にタイルカーペットが敷設されている場合には、交換時期は家族の相談で決めれば良いので、何等問題は生じない。しかしながら、店舗や施設においては、床面の清潔さや美観は利用者の意識や購買客の購買意欲にもかかわってくる大きな問題となってくる。すなわち、ホテルや貸し会場等の施設においては、床面は当該施設に入場した利用者が第一に目にする部分であるので、床面、特に入口付近の床面が不潔なところはどうしても利用者に悪印象を与えがちとなる。また、店舗においては、床面の清潔さや美観は、購買者の購買意欲に大きな影響力を持つ。とくに、食料品を扱う店舗や飲食店、また、理美容店等の衛生観念が大きな要素となる店舗において床面が汚れていると、店舗に入ってきた人に致命的な印象も与えかねないこととなる。この点から、食品を中心に扱う大規模小売店等では、床面の清浄さの保持をマニュアル化して、常に一定以上の清潔さと美観を保つように定めているところもあるくらいである。
【００１２】
しかるに、床面にタイルカーペットを用いた場合には、その交換時期や交換範囲は、すべて、施設の現場職員や店舗の店員にゆだねられているのが現状で、交換時期や交換範囲を定める明快な指針は存在していない。毎日、同じ床面を見慣れている職員や店員にとっては、日々、少しずつ蓄積されていく汚れはなかなか認識できないので、結果として、かなり汚れがひどくなった状態でも放置しているという場合も少なくない。しかるに施設の利用者や店舗の顧客などは、施設や店舗の床面を毎日見ているわけではないので、施設や店舗に入った瞬間に、職員や店員が気づいていない汚れに敏感に気がつくということもありえるのである。
【００１３】
個人商店の床面のタイルカーペットの一部が汚れているという場合においては、不利益を蒙るのは商店主ということになるので、自己責任ということで済ませられるが、公共の施設や大規模小売店等の多くの人々が利用する場所においては、床面の汚れは多くの人々に不快感を与える元ともなるし、その場で働く多数の人々の不利益にもつながってくる。また、ファミリーレストランやコンビニエンスストア等のいわゆるチェーン店舗あるいはフランチャイズ形式の店舗においては問題はさらに深刻で、例えば特定の１店舗にて床面の汚れが目立った場合には、顧客に与える印象としては、他の店舗も含めてそのチェーン店舗全体のイメージを悪化させてしまうことにもなる。したがって、同一ブランドのもとに多数の店舗を擁するこのような形態の店舗においては、同一ブランドのどこの店舗においても、床面の清潔さと美観をある一定レベル以上に保持する必要が生じる。
【００１４】
すなわち、顧客がそのブランドのどこの店舗に入っても、床面が一定レベルの清潔さと美観に保たれていなければならない。しかるに、タイルカーペットの交換時期と交換範囲を個々の店舗の現場の店員の判断に任せていたのでは、清潔さや美観は個人の主観に左右される度合いも大きいので、とても一定レベルの清潔さと美観の保持は実現できない。また、誰か巡回員のような役職を定めて各店舗を巡回視察し、タイルカーペットの交換時期と交換範囲を決定するという方法もあるが、店舗数が多くなると一人の巡回員で巡回できる範囲も限られるし、巡回員の数を増やすと、今度は巡回員相互の主観性をどのように統一するかという問題が生じてくる。したがって、タイルカーペットの交換時期と交換範囲を、できるだけ個々人の主観性を排除して客観的に定める方法が必要とされているのである。
【００１５】
なお、前期特許文献４には、タイルカーペットではないが、マット（一例として玄関マット）の汚れ具合を圧力（何回人が踏んだか）と水分（水分が多いと汚れが早い）によって検知し、汚れが一定程度以上となると交換要求の信号を発する「交換貸与品および貸与品交換支援システム」が開示されている。確かにこのような方法を用いれば、ある程度客観的な方法で交換時期は確定できる。しかしながら、前期特許文献４には圧力センサや水分センサ等の検出手段と無線送信部と受信部と信号処理部と電池という複雑な構成が用いられており、通常厚さ数ｍｍ程度のタイルカーペット内部にこのような複雑な構成を組込むのはほぼ不可能であるし、できたとしても費用的に高価なものとなって現実には採用不可能なものとなる。玄関マットのように玄関１箇所に設置すれば良いだけのものとは異なり、施設や店舗の床面全面に敷設するタイルカーペットの場合には、床面の要所要所に汚れ具合の検知手段を設けねばならず、床面積が広かったり店舗数が多いと、大変な出費となってしまう。したがって、このような複雑で高価な構成を用いることなく、簡便で安価な手段にてタイルカーペットの交換時期と交換枚数を客観的に判断できる構成が希求されているのである。
【００１６】
以上より、本発明の解決すべき課題をまとめれば、次のとおりとなる。
＜課題１＞
タイルカーペットの交換時期と交換範囲を、個々人の主観性による判断を排してできるだけ客観的に定めることのできるタイルカーペット及びそのようなタイルカーペットを敷設したタイルカーペット床を開発する。
＜課題２＞
上記タイルカーペット及びタイルカーペット床の外観は、あくまでも通常のタイルカーペット及びタイルカーペット床の外観と同様のものとする。すなわち、各種装置を組込むこと等により、タイルカーペットの厚みが増したり外観が変化したりするという方法は採用しない。
＜課題３＞
タイルカーペットの交換時期の検知手段としては、センサを用いたり電子信号処理を伴う複雑で高価な方法は避け、できるだけ簡便で安価な手段を用いることとする。
【課題を解決するための手段】
【００１７】
本発明は、前記課題を解決するためになされたものであり、以下に示す解決手段を提供するものである。
＜解決手段１＞
タイルカーペットの表面の汚染を防止あるいは遅延させる耐汚染物質によるコーティングをタイルカーペットの表面の一部に施したことを特徴とする交換サイン付タイルカーペット。
＜解決手段２＞
タイルカーペットの表面の汚染を防止あるいは遅延させる耐汚染物質によるコーティングをタイルカーペットの表面の一部に施した交換サイン付タイルカーペットを床面の一部または全面に用いて床面を覆設したことを特徴とする交換サイン付タイルカーペット床。
＜解決手段３＞
タイルカーペットの表面の汚染を防止あるいは遅延させる耐汚染物質によるコーティングをタイルカーペットの表面の全面に施したタイルカーペットと上記耐汚染物質によるコーティングを施さないタイルカーペットの両方を用いて床面を覆設したことを特徴とする交換サイン付タイルカーペット床。
＜解決手段４＞
上記耐汚染物質が光触媒あるいは防汚剤あるいは撥水剤であることを特徴とする解決手段１に記載の交換サイン付タイルカーペット。
＜解決手段５＞
上記耐汚染物質が光触媒あるいは防汚剤あるいは撥水剤であることを特徴とする解決手段２あるいは解決手段３に記載の交換サイン付タイルカーペット床。
【発明の効果】
【００１８】
本発明の解決手段１および解決手段２の発明によれば、タイルカーペットの表面の一部が汚染を防止あるいは遅延させる耐汚染物質によってコーティングされているので、時間の経過による汚れの蓄積により、コーティング部分を除く他の部分は汚損されていくが、コーティング部分は当初の状態あるいは当初の状態に近い状態に保たれる。これにより、時間の経過とともにコーティング部分が視覚的に周囲から差別化されてくっきりと浮き出してくるので、このコーティング部分がタイルカーペットの交換時期の到来を示すサインとして機能する。
【００１９】
また本発明の解決手段１および解決手段２の発明によれば、タイルカーペットの表面の一部が汚染を防止あるいは遅延させる耐汚染物質によってコーティングされているだけなので、タイルカーペット及びタイルカーペット床の外観は、通常のタイルカーペット及びタイルカーペット床の外観と全く同様のものとなる。各種装置を組込むということがないので、タイルカーペット自体の厚みが増したり、外観が変化したりするということが全く生じない。
【００２０】
また本発明の解決手段１および解決手段２の発明によれば、タイルカーペットの交換時期を知らせるサインが、タイルカーペットの表面の一部に汚染を防止あるいは遅延させる耐汚染物質によってコーティング皮膜を形成しているだけであり、センサや電子信号処理装置は一切用いないので、極めて簡便且つ安価であり、センサや電子信号処理装置のように故障するということもなく、機器のメンテナンスも一切不要である。したがって、広い床面を有する施設や店舗、あるいは多数のチェーン店舗やフランチャイズ方式の店舗を擁する企業においても、僅かのコストと手間で本発明の解決手段１および解決手段２の発明を採用できるものである。
【００２１】
なお、本発明の解決手段１および解決手段２の発明において、タイルカーペットの交換時期は上記サインにより明確となることは上述のとおりである。また、交換範囲の確定については、上記サインが現れたタイルカーペットを中心として、隣接する周囲８枚のタイルカーペット、すなわち合計９枚のタイルカーペットを交換するという原則を適用するのが最も適切である。すなわち、周囲８枚のタイルカーペットは仮に上記サインを有しないものであったとしても、上記サインを有するタイルカーペットに隣接するものである以上、ある程度の汚れが蓄積されていると判断されるからである。なお、上記サインを有するタイルカーペットに隣接するタイルカーペットであっても、設備や調度や家具類が上に載置されているものについては、原則として交換対象から外すことができる。というのは、前述のように、タイルカーペットの汚損は人が通行する場所において発生するからである。
【００２２】
次に、本発明の解決手段３の発明によれば、１枚のタイルカーペットの全面に汚染を防止あるいは遅延させる耐汚染物質によってコーティング皮膜を形成したタイルカーペット（以下サイン仕様のタイルカーペットと呼称）を用いても、解決手段２と同様の効果を有するタイルカーペット床を実現できることが示されている。すなわち、解決手段３の発明の場合には、サイン仕様のタイルカーペットそのものが交換時期を告知するサインとして機能する。すなわち、床面に敷設されたタイルカーペットの要所要所に、サイン仕様のタイルカーペットを配設することにより、時間の経過によって通常のタイルカーペットの汚損が進行しても、サイン仕様のタイルカーペットの汚損の進行は遅れるので、サイン仕様のタイルカーペット自体が通常のタイルカーペットから視覚的に浮き上がって目立つようになり、これにより交換時期が告知される。なお、この場合にても、交換範囲としては、隣接する８枚のタイルカーペットを含めた９枚のタイルカーペットを交換するのが適切である。
【００２３】
続く解決手段４、５により、耐汚染物質が光触媒あるいは防汚剤あるいは撥水剤であることが明確にされる。光触媒は、周知のように二酸化チタンであり、光が当たることにより有機物質を最終的に二酸化炭素や水にまで分解する能力を有している。したがって、タイルカーペットの表層繊維部分に光触媒によるコーティング層を形成すれば、その部分だけは有機物質による汚損から防止され、あるいは汚損が遅延される。
【００２４】
次に、繊維の防汚剤としては、フッ素樹脂コーティングによるものが広く知られており、既にカーペットメンテナンス用の製品として市販もされている。このような防汚剤を用いることにより、タイルカーペットの表層繊維部分にフッ素樹脂によるコーティング層を形成すれば、その部分だけは汚損から防止され、あるいは汚損が遅延される。また、撥水剤としては、フッ素樹脂系のもの、パラフィンワックス系のもの、あるいはシリコン系のものが知られており、これらによるコーティング層を形成すれば、その部分だけは汚損（水分を媒体とする汚損）から防止され、あるいは汚損が遅延される。
【発明を実施するための最良の形態】
【００２５】
本発明を実施するための最良の形態を、以下に図面を参照しながら詳細に説明する。
【実施例１】
【００２６】
図１ａは、実施例１の交換サイン付タイルカーペット１の平面図である。Ｓ１は繊維からなる表層であり、表層Ｓ１の一部に耐汚染物質からなるコーティング皮膜Ｃ１が形成されている。コーティング皮膜Ｃ１の形状Ｆ１は円形である。コーティング皮膜Ｃ１は透明であるので、視覚的には図１ｂに示すように目に見えない。したがって、交換サイン付タイルカーペット１が新品のときには、交換サイン付タイルカーペット１は図１ｂのように通常のタイルカーペットＴＣ（図１３ａ参照）となんら変わりなく見える。
【００２７】
しかるに、時間の経過とともに交換サイン付タイルカーペット１の表層Ｓ１の汚れが進行すると、汚れが進行しにくいコーティング皮膜Ｃ１の部分が視覚的に浮き上がって目立つようになる。すなわち、表層Ｓ１の一部に円形の形状Ｆ１が視認されるようになる。この円形の形状Ｆ１がタイルカーペットの交換時期を告知するサインとして機能する。
【００２８】
図６は通常のタイルカーペットＴＣの要所要所に交換サイン付タイルカーペット１を配設したコンビニエンスストアＣＳの床面ＦＬを示す略式の平面図である。即ち、コンビニエンスストアＣＳの床面ＦＬは、解決手段２に記載の「交換サイン付タイルカーペット床」となっている。なお、図６にてＥは出入口、ＣＵはカウンター、ＢＫはバックスペース、ＷＣはトイレ、ＳＷ１〜ＳＷ６は商品の陳列棚である。交換サイン付タイルカーペット１は、床面ＦＬの客の動線部分においては、ｘ、ｙの各方向に１枚おきに配設されているが、これは例えばｘ方向には１枚おき、ｙ方向には２枚おきとしてもよいし、逆にｘ方向には２枚おき、ｙ方向には１枚おきとしてもよいし、ｘ、ｙの各方向に２枚おきとすることもできる。さらに全く異なる配設方法を採るのも当然自由である。すなわち、通常のタイルカーペットＴＣと交換サイン付タイルカーペット１の配設方法は任意に定めることができる。
【００２９】
図６にては、通常のタイルカーペットＴＣも交換サイン付タイルカーペット１も新品の状態を示しているので、コーティング皮膜Ｃ１は視覚的には見えない状態である。即ち、コンビニエンスストアＣＳの床面ＦＬは、通常のタイルカーペットＴＣが全面に敷設された場合と視覚的には何等変わりがない状態である。
【００３０】
図７は、時間の経過に伴って、コンビニエンスストアＣＳの床面ＦＬが汚れてきた状態を示している。図７の状態において、汚れの目立つ交換サイン付タイルカーペット１においては、コーティング皮膜Ｃ１がくっきりと浮き上がって視認されるが、殆ど汚れのない部分の交換サイン付タイルカーペット１においては、コーティング皮膜Ｃ１は視認されず、この部分においては交換サイン付タイルカーペット１と通常のタイルカーペットＴＣの差は生じていない。従って、コーティング皮膜Ｃ１が視認されるようになった交換サイン付タイルカーペット１とそれに隣接する通常のタイルカーペットＴＣの交換が必要とされる時期に至ったと判断される。
【００３１】
図８は、図７の状態にて、交換サイン付タイルカーペット１とそれに隣接する通常のタイルカーペットＴＣの交換範囲ＣＡ１、ＣＡ２を示す。太い破線で囲まれた範囲の交換サイン付タイルカーペット１とそれに隣接する通常のタイルカーペットＴＣの交換が必要であると判断されている。交換範囲ＣＡ１、ＣＡ２の決定には様々な方法が考えられるが、図８に示す交換範囲ＣＡ１、ＣＡ２は、コーティング皮膜Ｃ１が視認されるようになった交換サイン付タイルカーペット１が１枚あれば、それに隣接する８枚の通常のタイルカーペットＴＣを含めて合計９枚のタイルカーペットを交換するという原則によって決定したものである。コーティング皮膜Ｃ１が視認されるようになった交換サイン付タイルカーペット１があれば、当然、隣接する通常のタイルカーペットにもある程度汚染が進んでいると考えるのが自然であるから、上記原則は充分に妥当性を有するものであると考えられる。
【００３２】
但し、図８においては、カウンターＣＵや陳列棚ＳＷ１〜ＳＷ６が載置されているタイルカーペットｔｃは交換範囲ＣＡ１、ＣＡ２から外している。床面ＦＬの汚れは、主として人の通行により齎されるものであるので、カウンターＣＵや陳列棚ＳＷ１〜ＳＷ６が載置されているタイルカーペットｔｃにおいては当然汚れの進行は緩慢であり、タイルカーペットｔｃを交換範囲ＣＡ１、ＣＡ２から除くのは合理的である。
【００３３】
なお、図１ｃにて、コーティング皮膜Ｃ１がどの程度視認されるようになったら交換時期であると判断するのかについては、マニュアルをもってこれを定めることができる。すなわち、図１ｂの状態から図１ｃの状態への移行を連続写真によって記録し、どの段階になったら交換時期であると判断するかを、コンビニエンスストアＣＳの本部が予めマニュアルにて定めておけば良い。このようにすれば、各店舗にては、マニュアルの写真と現場の状態を見比べながら交換時期を判断できるので、店舗ごとに交換時期がまちまちになることがなく、店員各個人による恣意性も排除でき、客観的な基準による交換時期の判断が可能となる。また、交換範囲ＣＡ１、ＣＡ２に関してもマニュアルで定めることができるので、これに関しても客観的な判断が可能となる。
【００３４】
図９は、コンビニエンスストアＣＳにおいて、陳列棚ＳＷ１〜ＳＷ６に収納する商品構成を変化させたことにより、床面ＦＬの汚れの状態が変化した場合を示す。この場合にても、図７と同様の原則をもって交換範囲ＣＡ３、ＣＡ４を示せば、図１０のとおりとなる。
【実施例２】
【００３５】
図２ａは、実施例２の交換サイン付タイルカーペット２の平面図である。Ｓ２は繊維からなる表層であり、表層Ｓ２の一部に耐汚染物質からなるコーティング皮膜Ｃ２が形成されている。コーティング皮膜Ｃ２の形状Ｆ２は線形である。コーティング皮膜Ｃ２は透明であるので、視覚的には図２ｂに示すように目に見えない。したがって、交換サイン付タイルカーペット２が新品のときには、交換サイン付タイルカーペット２は図２ｂのように通常のタイルカーペットＴＣ（図１３ａ参照）となんら変わりなく見える。
【００３６】
しかるに、時間の経過とともに交換サイン付タイルカーペット２の表層Ｓ２の汚れが進行すると、汚れが進行しにくいコーティング皮膜Ｃ２の部分が視覚的に浮き上がって目立つようになる。すなわち、表層Ｓ２の一部に線形の形状Ｆ２が視認されるようになる。この線形の形状Ｆ２がタイルカーペットの交換時期を告知するサインとして機能する。交換サイン付タイルカーペット２の配設方法や交換範囲については、実施例１と略同様である。
【実施例３】
【００３７】
図３ａは、実施例３の交換サイン付タイルカーペット３の平面図である。Ｓ３は繊維からなる表層であり、表層Ｓ３の一部に耐汚染物質からなるコーティング皮膜Ｃ３、…Ｃ３、…が形成されている。コーティング皮膜Ｃ３、…Ｃ３、…の形状Ｆ３は全体としてＣＨＡＮＧＥ（交換）という文字を形成するように構成されている。コーティング皮膜Ｃ３、…Ｃ３、…は透明であるので、視覚的には図３ｂに示すように目に見えない。したがって、交換サイン付タイルカーペット３が新品のときには、交換サイン付タイルカーペット３は図３ｂのように通常のタイルカーペットＴＣ（図１３ａ参照）となんら変わりなく見える。
【００３８】
しかるに、時間の経過とともに交換サイン付タイルカーペット３の表層Ｓ３の汚れが進行すると、汚れが進行しにくいコーティング皮膜Ｃ３、…Ｃ３、…の部分が視覚的に浮き上がって目立つようになる。すなわち、表層Ｓ３の一部にＣＨＡＮＧＥという文字の形状Ｆ３が視認されるようになる。このＣＨＡＮＧＥという文字の形状Ｆ３がタイルカーペットの交換時期を告知するサインとして機能する。交換サイン付タイルカーペット３の配設方法や交換範囲については、実施例１と略同様であるが、コーティング皮膜Ｃ３、…Ｃ３、…が実施例１のコーティング皮膜Ｃ１より面積的に広く且つＣＨＡＮＧＥという文字の形状Ｆ３が「交換が必要」という意味も有しているので、より交換を促すサインとしては実施例１の円形の形状Ｆ１や実施例２の線形の形状Ｆ２に比較するとさらに説得力を有している。
【実施例４】
【００３９】
図４ａは、実施例４の交換サイン付タイルカーペット４の平面図である。Ｓ４は繊維からなる表層であり、表層Ｓ４の一部に耐汚染物質からなるコーティング皮膜Ｃ４ａ、Ｃ４ｂ、Ｃ４ｃ、Ｃ４ｄが形成されている。コーティング皮膜Ｃ４ａの形状Ｆ４ａは全体として正方形の輪郭に少し不安げな表情の顔を形成するように構成されている。また、コーティング皮膜Ｃ４ｂの形状Ｆ４ｂは全体として「そろそろ」という文字を形成するように構成されている。さらに、コーティング皮膜Ｃ４ｃの形状Ｆ４ｃは全体として正方形の輪郭に泣いている表情の顔を形成するように構成され、コーティング皮膜Ｃ４ｄの形状Ｆ４ｄは全体として「かえてね」という文字を形成するように構成されている。
【００４０】
コーティング皮膜Ｃ４ａ、Ｃ４ｂは厚めに、コーティング皮膜Ｃ４ｃ、Ｃ４ｄは薄めに形成されている。コーティング皮膜Ｃ４ａ、Ｃ４ｂ、Ｃ４ｃ、Ｃ４ｄは透明であるので、視覚的には図４ｂに示すように目に見えない。したがって、交換サイン付タイルカーペット４が新品のときには、交換サイン付タイルカーペット４は図４ｂのように通常のタイルカーペットＴＣ（図１３ａ参照）となんら変わりなく見える。
【００４１】
しかるに、時間の経過とともに交換サイン付タイルカーペット４の表層Ｓ４の汚れが進行すると、コーティングが厚く、最も汚れが進行しにくいコーティング皮膜Ｃ４ａ、Ｃ４ｂの部分が視覚的に浮き上がって目立つようになる（図４ｃ参照）。すなわち、表層Ｓ４の一部に不安げな顔の形状Ｆ４ａと「そろそろ」という文字の形状Ｆ４ｂが視認されるようになり、タイルカーペットの交換時期が近づいていることを告知するサインとして機能する。さらに時間が経過して交換サイン付タイルカーペット４の表層Ｓ４の汚れが進行すると、コーティングが薄いコーティング皮膜Ｃ４ｃ、Ｃ４ｄの部分も視覚的に浮き上がって目立つようになり（図４ｄ参照）、泣いている顔の形状Ｆ４ｃと「かえてね」という文字の形状Ｆ４ｄが、タイルカーペット４の交換時期が到来したことを告知する。
【００４２】
このように、コーティングの厚みを変化させたコーティング皮膜Ｃ４ａ、Ｃ４ｂとコーティング皮膜Ｃ４ｃ、Ｃ４ｄの組み合わせにより、２段階で告知できるサインを構成することができる。なお、交換サイン付タイルカーペット４の配設方法や交換範囲については、実施例１と略同様である。
【実施例５】
【００４３】
図５ａに示す実施例５のタイルカーペット５は、表層Ｓ５の全面に耐汚染物質からなるコーティング皮膜Ｃ５が形成されている。コーティング皮膜Ｃ５は透明であるので、外観は通常のタイルカーペットＴＣ（図１３ａ参照）となんら変わりはない。このタイルカーペット５を中心にして、周囲に通常のタイルカーペットＴＣ、ＴＣ、…を隙間が開かないように敷設すると図５ｂの状態となる。図５ｂにては、タイルカーペット５も通常のタイルカーペットＴＣ、ＴＣ、…も新品の状態を示しているので、両者に外見的な差異は認められず、全体は一種類のタイルカーペットで敷詰められた床面ｆｌをなしている。
【００４４】
しかるに、時間の経過とともに床面ｆｌの汚れが進行すると、図５ｃに示すようにコーティング皮膜Ｃ５が形成されたタイルカーペット５とコーティング皮膜を有しない通常のタイルカーペットＴＣ、ＴＣ、…の外見上の差異が目立つようになり、タイルカーペット５は視覚的にタイルカーペットＴＣ、ＴＣ、…から差別化されて見えるようになる。すなわち、タイルカーペット５自体が交換時期を告知するサインとして機能するものである。
【００４５】
図１１は要所要所にタイルカーペット５を配設したコンビニエンスストアＣＳの床面ＦＬを示す略式の平面図であり、図１１においては、タイルカーペット５以外の部分は、すべて通常のタイルカーペットＴＣ（符号は一部のみに付す）である。即ち、コンビニエンスストアＣＳの床面ＦＬは、解決手段３に記載の「交換サイン付タイルカーペット床」となっており、ここでいう「交換サイン」とは、タイルカーペット５そのもののことを指す。タイルカーペット５は、床面ＦＬの客の動線部分においては、ｘ、ｙの各方向に１枚おきに配設されているが、これは配設方法の一例であって、異なる配設方法を採るのも当然自由である。
【００４６】
図１１にては、通常のタイルカーペットＴＣもタイルカーペット５も新品の状態を示しているので、コーティング皮膜Ｃ５は視覚的には見えない状態である。即ち、コンビニエンスストアＣＳの床面ＦＬは、通常のタイルカーペットＴＣが全面に敷設された場合と視覚的には何等変わりがない状態である。
【００４７】
図１２は、時間の経過に伴って、コンビニエンスストアＣＳの床面ＦＬが汚れてきた状態を示している。図１２の状態において、床面ＦＬの汚れの目立つ部分においては、タイルカーペット５がコーティング皮膜Ｃ５の作用によってくっきりと差別化されて視認されるが、殆ど汚れのない部分においてはタイルカーペット５と通常のタイルカーペットＴＣの差は生じていない。従って、周囲から差別化されて視認されるようになったタイルカーペット５とそれに隣接する通常のタイルカーペットＴＣの交換が必要とされる時期に至ったと判断される。
【００４８】
図１２における太い破線で囲まれた部分はタイルカーペット５とそれに隣接する通常のタイルカーペットＴＣの交換範囲ＣＡ５、ＣＡ６を示す。交換範囲ＣＡ５、ＣＡ６の決定には様々な方法が考えられるが、図１２に示す交換範囲ＣＡ５、ＣＡ６は、周囲から差別化されて視認されるようになったタイルカーペット５が１枚あれば、それに隣接する８枚の通常のタイルカーペットＴＣを含めて合計９枚のタイルカーペットを交換するという原則によって決定したもので、この原則は実施例１と同様である。また、カウンターＣＵや陳列棚ＳＷ１〜ＳＷ６が載置されているタイルカーペットｔｃは交換範囲ＣＡ５、ＣＡ６から外している点も実施例１と同様である。
【００４９】
なお、図５ｃにて、コーティング皮膜Ｃ５がどの程度視認されるようになったら交換時期であると判断するのかについては、やはり実施例１と同様にマニュアルをもってこれを定めることができる。すなわち、図５ｂの状態から図５ｃの状態への移行を連続写真によって記録し、どの段階になったら交換時期であると判断するかを、コンビニエンスストアＣＳの本部が予めマニュアルにて定めておけば良い。このようにすれば、各店舗にては、マニュアルの写真と現場の状態を見比べながら交換時期を判断できるので、店舗ごとに交換時期がまちまちになることがなく、店員各個人による恣意性も排除でき、客観的な基準による交換時期の判断が可能となる。また、交換範囲ＣＡ５、ＣＡ６に関してもマニュアルで定めることができるので、これに関しても客観的な判断が可能となる。
【産業上の利用可能性】
【００５０】
本発明は、叙上のように、タイルカーペットの一部に耐汚染物質によるコーティング皮膜を形成するか、あるいは全面に耐汚染物質によるコーティング皮膜を形成することにより、タイルカーペットの交換時期と交換範囲を非常に簡便かつ安価な方法で客観的に判断できる交換サイン付タイルカーペット及び交換サイン付タイルカーペット床に関するものであるので、その利用可能性は、タイルカーペットが用いられているすべての場所に及ぶといっても過言ではない。中でも、不特定多数の人が利用する公共施設や民間施設、大規模小売店、さらには一つのブランドのもとに多数の店舗を展開するチェーン店舗やフランチャイズ方式による店舗においては、施設や店舗の清潔感や美観を保持し、あるいはブランドのイメージを損なわないための方法の一環として、きわめて重要な意義を有する発明であるといえる。
【図面の簡単な説明】
【００５１】
【図１】（ａ）本発明の実施例１のタイルカーペットの平面図である。（ｂ）本発明の実施例１のタイルカーペットの平面図である。（ｃ）本発明の実施例１のタイルカーペットの平面図である。
【図２】（ａ）本発明の実施例２のタイルカーペットの平面図である。（ｂ）本発明の実施例２のタイルカーペットの平面図である。（ｃ）本発明の実施例２のタイルカーペットの平面図である。
【図３】（ａ）本発明の実施例３のタイルカーペットの平面図である。（ｂ）本発明の実施例３のタイルカーペットの平面図である。（ｃ）本発明の実施例３のタイルカーペットの平面図である。
【図４】（ａ）本発明の実施例４のタイルカーペットの平面図である。（ｂ）本発明の実施例４のタイルカーペットの平面図である。（ｃ）本発明の実施例４のタイルカーペットの平面図である。（ｄ）本発明の実施例４のタイルカーペットの平面図である。
【図５】（ａ）本発明の実施例５のタイルカーペットの平面図である。（ｂ）本発明の実施例５のタイルカーペットを敷設した床面の平面図である。（ｃ）本発明の実施例５のタイルカーペットを敷設した床面の平面図である。
【図６】本発明の実施例１のタイルカーペットを配設したコンビニエンスストアの床面の略式の平面図である。
【図７】本発明の実施例１のタイルカーペットを配設したコンビニエンスストアの床面の略式の平面図である。
【図８】本発明の実施例１のタイルカーペットを配設したコンビニエンスストアの床面の略式の平面図である。
【図９】本発明の実施例１のタイルカーペットを配設したコンビニエンスストアの床面の略式の平面図である。
【図１０】本発明の実施例１のタイルカーペットを配設したコンビニエンスストアの床面の略式の平面図である。
【図１１】本発明の実施例５のタイルカーペットを配設したコンビニエンスストアの床面の略式の平面図である。
【図１２】本発明の実施例５のタイルカーペットを配設したコンビニエンスストアの床面の略式の平面図である。
【図１３】（ａ）通常のタイルカーペットの外観斜視図である。（ｂ）通常のタイルカーペットの一部を拡大した縦断面図である。
【符号の説明】
【００５２】
１      タイルカーペット
２      タイルカーペット
３      タイルカーペット
４      タイルカーペット
５      タイルカーペット
Ｂ      基層
ＢＦ    基布
ＢＫ    バックスペース
Ｃ１    コーティング皮膜
Ｃ２    コーティング皮膜
Ｃ３    コーティング皮膜
Ｃ４ａ  コーティング皮膜
Ｃ４ｂ  コーティング皮膜
Ｃ４ｃ  コーティング皮膜
Ｃ４ｄ  コーティング皮膜
Ｃ５    コーティング皮膜
ＣＡ１  交換範囲
ＣＡ２  交換範囲
ＣＡ３  交換範囲
ＣＡ４  交換範囲
ＣＡ５  交換範囲
ＣＡ６  交換範囲
ＣＳ    コンビニエンスストア
ＣＵ    カウンター
Ｆ１    形状
Ｆ２    形状
Ｆ３    形状
Ｆ４ａ  形状
Ｆ４ｂ  形状
Ｆ４ｃ  形状
Ｆ４ｄ  形状
ＦＡ    繊維
ＦＬ    床面
Ｓ      表層
Ｓ１    表層
Ｓ２    表層
Ｓ３    表層
Ｓ４    表層
Ｓ５    表層
ＳＷ１  陳列棚
ＳＷ２  陳列棚
ＳＷ３  陳列棚
ＳＷ４  陳列棚
ＳＷ５  陳列棚
ＳＷ６  陳列棚
ＴＣ    タイルカーペット
ＷＣ    トイレ
ｆｌ    床面
ｔｃ    タイルカーペット
ｘ      方向
ｙ      方向
【図１】
2007154378.tif 000003
【図２】
2007154378.tif 000004
【図３】
2007154378.tif 000005
【図４】
2007154378.tif 000006
【図５】
2007154378.tif 000007
【図６】
2007154378.tif 000008
【図７】
2007154378.tif 000009
【図８】
2007154378.tif 000010
【図９】
2007154378.tif 000011
【図１０】
2007154378.tif 000012
【図１１】
2007154378.tif 000013
【図１２】
2007154378.tif 000014
【図１３】
2007154378.tif 000015